(57)【特許請求の範囲】
【請求項１】
本体（２）の上部にコーヒー粉（１７）を収容する紙フィルター（１６）を保持するバスケット（１５）を設け、その下方に抽出されたコーヒー液を受ける容器（２３）を設置し、前記バスケット（１５）の上方から紙フィルター（１６）内のコーヒー粉（１７）に熱湯を注ぎ、抽出されたコーヒー液をバスケット（１５）の下端から前記容器（２３）に収容するコーヒーメーカー（１）において、バスケットホルダ（１４）を本体（２）に対して水平方向に開閉自在に設け、当該バスケットホルダ（１４）内に前記バスケット（１５）を傾動自在に収容し、バスケットホルダ（１４）が本体（２）に対して開いた状態においては前記バスケット（１５）が本体（２）側に傾動し、バスケットホルダ（１４）が本体（２）に対して閉じた状態においてはバスケット（１５）が上動してほゞ水平となることを特徴とする、コーヒーメーカー
【請求項２】
前記バスケット（１５）の下端中央部に上動により開く開閉弁（２１）を設け、前記容器（２３）の蓋（２４）の中央部上面に前記開閉弁（２１）を開閉操作する凸部（２５）を形成し、前記バスケットホルダ（１４）が閉じた状態において前記バスケット（１５）の開閉弁（２１）が容器（２３）の蓋（２４）の凸部（２５）に当接することにより、バスケット（１５）が上動すると共に開閉弁（２１）が開くことを特徴とする、請求項１に記載のコーヒーメーカー
【請求項３】
前記バスケットホルダ（１４）が本体（２）に対して閉じた状態において、バスケット（１５）の周縁部の一部が本体（２）の一部に当接することにより、バスケット（１５）が上動することを特徴とする、請求項１に記載のコーヒーメーカー
【発明の詳細な説明】
【０００１】
【発明の属する技術分野】
本発明はコーヒーメーカーに関するものであって、特に本体の上部にバスケットを設けて、当該バスケット内にコーヒー粉を収容した紙フィルターを保持し、その下方に抽出されたコーヒー液を受ける容器を設置し、前記バスケットの上方から紙フィルター内のコーヒー粉に熱湯を注ぎ、抽出されたコーヒー液をバスケットの下端から前記容器に注入して収容する形式のコーヒーメーカーに関するものである。
【０００２】
【従来の技術】
この種のコーヒーメーカーにおいては、通常本体の背上部に水タンクを設け、前記容器を載置した基台の下部に電熱ヒーターを取り付け、前記水タンクから供給される水を電熱ヒーターに沿って設けられた加熱パイプに通し、当該加熱パイプで加熱された熱湯を本体上部に移送し、前記バスケットの上方に設けられた浄水フィルターを通し、その浄水フィルターで浄化された熱湯をコーヒー粉に注ぐようになっている。
【０００３】
【発明が解決しようとする課題】
ところがこの種のコーヒーメーカーでは、前記浄水フィルターは本体上部の下面に着脱自在に取り付けられるのであるが、その浄水フィルターを取り付けると、本体上部から下方に垂下することとなる。
【０００４】
一方前記バスケットは、そこに紙フィルターを装着し、さらにその紙フィルター内にコーヒー粉を収容するために、本体に対して開閉自在であることが必要であり、通常は本体の側部に回動自在に取り付けられ、本体に対してその前部から水平に開閉し得るように設けられる。
【０００５】
而して前記バスケットに紙フィルターを保持した状態で、バスケットを本体に対して閉じると、本体の上部に前述のように浄水フィルターが垂下しているので、紙フィルターの前縁が浄水フィルターに引っ掛かって内方に捲れ、熱湯が正しく紙フィルター内のコーヒー粉に注がれない可能性がある。
【０００６】
すなわち紙フィルターがバスケットの内方に大きく捲れると、熱湯の一部が紙フィルターの外側に注がれることとなり、紙フィルターとバスケットとの間を通って流下するため、その熱湯はコーヒー粉の抽出に寄与せず、薄いコーヒーしか得られないこととなるのである。
【０００７】
浄水フィルターと紙フィルターの上縁との間に十分な間隔をおけば、バスケットを閉じる際に紙フィルターが引っ掛かるのを防止することができるが、コーヒーメーカー全体の大きさが不必要に大きいものとなり、コンパクトなコーヒーメーカーを得ることができない。
【０００８】
本発明はかかる事情に鑑みなされたものであって、バスケットの開閉に伴って本体に対して傾動せしめることにより、紙フィルターが浄水フィルターに引っ掛かるのを防止することを目的とするものである。
【０００９】
【課題を解決するための手段】
而して本発明は、本体の上部にコーヒー粉を収容する紙フィルターを保持するバスケットを設け、その下方に抽出されたコーヒー液を受ける容器を設置し、前記バスケットの上方から紙フィルター内のコーヒー粉に熱湯を注ぎ、抽出されたコーヒー液をバスケットの下端から前記容器に収容するコーヒーメーカーにおいて、バスケットホルダを本体に対して水平方向に開閉自在に設け、当該バスケットホルダ内に前記バスケットを傾動自在に収容し、バスケットホルダが本体に対して開いた状態においては前記バスケットが本体側に傾動し、バスケットホルダが本体に対して閉じた状態においてはバスケットが上動してほゞ水平となることを特徴とするものである。
【００１０】
本発明においては、前記バスケットの下端中央部に上動により開く開閉弁を設け、前記容器の蓋の中央部上面に前記開閉弁を開閉操作する凸部を形成し、前記バスケットホルダが閉じた状態において前記バスケットの開閉弁が容器の蓋の凸部に当接することにより、バスケットが上動すると共に開閉弁が開くようにすることが好ましい。
【００１１】
また本発明においては、前記バスケットホルダが本体に対して閉じた状態において、バスケットの周縁部の一部が本体の一部に当接することにより、バスケットを上動せしめることもできる。
【００１２】
【発明の実施の形態】
以下本発明の実施の形態を図面に従って説明する。図面は本発明のコーヒーメーカー１の一例を示すものであって、２は当該コーヒーメーカー１における本体であり、当該本体２はその下部に基台３が設けられ、その基台３の背部には支持部４が立設しており、当該支持部４の上端から前記基台３の上方を覆うように覆い部５が張り出している。
【００１３】
前記基台３の上面には熱板６が設けられ、後述する容器をこの熱板６上に載置してその容器内のコーヒー液を保温するようになっている。またこの熱板６の下面には環状のヒーター７が取り付けられており、当該ヒーター７に沿って加熱パイプ８が一体に設けられている。
【００１４】
また前記支持部４の背部には水タンク９が設けられており、当該水タンク９から供給された水が給水管１０を通じて前記加熱パイプ８に流入し、前記ヒーター７の熱で加熱されるようになっている。
【００１５】
そしてその加熱パイプ８には揚水管１１が接続されており、当該揚水管１１は前記支持部４内を上昇して覆い部５に至り、その先端は覆い部５の中央部の開口部１２に開口している。１３は、開口部１２の下方の覆い部５の下面に着脱自在に取り付けられた浄水フィルターである。
【００１６】
１４は略逆円錐状のバスケットホルダであって、前記本体２の支持部４の上部側縁に回動自在に軸支されており、図２に鎖線で示すように本体２に対して閉じて覆い部５の下部に嵌合した状態と、図２に実線で示すように本体２に対して開いて覆い部５の下部から取出した状態とを採るようになっている。
【００１７】
そしてそのバスケットホルダ１４内には、これも略逆円錐状のバスケット１５がバスケットホルダ１４に対して着脱自在に収容されており、当該バスケット１５内に紙フィルター１６を設置し、該紙フィルター１６内にコーヒー粉１７を入れるようになっている。
【００１８】
バスケットホルダ１４の前下部内面には支持リブ１８が突設され、バスケット１５の前下部外面には支持片１９が突設されており、バスケット１５は支持片１９が支持リブ１８に支持されることにより、バスケットホルダ１４に対して後方に傾動し得るように収容されている。
【００１９】
またバスケット１５の下端には排出口２０が穿設されており、当該排出口２０には開閉弁２１が設けられ、当該開閉弁２１はばね２２により常時下方に付勢されて排出口２０は閉じられ、開閉弁２１をばね２２の弾力に抗して上動せしめることにより、排出口２０が開くようになっている。
【００２０】
前記基台３の熱板６上には容器２３が載置されている。容器２３には蓋２４が載置され、当該蓋２４の中央上部には凸部２５が形成されており、前記バスケット１５の開閉弁２１がその凸部２５に当接するようになっている。
【００２１】
開閉弁２１が凸部２５に当接することにより、支持リブ１８と支持片１９との支持部を支点としてバスケット１５がバスケットホルダ１４に対して上動すると共に、開閉弁２１がバスケット１５に対して上動して排出口２０が開くようになっている。
【００２２】
また支持部４の上部前面には当接リブ２６が突設されており、バスケットホルダ１４が本体２に対して閉じたとき、バスケット１５の周縁が前記当接リブ２６に当接して、バスケット１５は支持片１９を支点として回動し、バスケットホルダ１４に対して上動するようになっている。
【００２３】
【作用】
而して本発明のコーヒーメーカー１を使用するには、先ずバスケットホルダ１４を本体２に対して回動して開き、当該バスケットホルダ１４内にバスケット１５を設置すると共に、そのバスケット１５内に紙フィルター１６をセットし、その中に適量のコーヒー粉１７を収容する。
【００２４】
なお本発明において使用する紙フィルター１６は、材質が紙であることを要するものではなく、布やフェルト、不織布などよりなるものであってもよく、市販のものを使用することもできる。
【００２５】
このときバスケット１５は図３に示すように、支持片１９が支持リブ１８に支持されており、その支持部を支点として後方すなわち本体２側に傾動し、バスケット１５の後部すなわち本体２に近い側が下るように、バスケットホルダ１４に対して傾動している。また開閉弁２１はばね２２の弾力により下動し、排出口２０は閉じている。
【００２６】
この状態で熱板６上に容器２３を載置し、バスケットホルダ１４を本体２に対して閉じる方向に回動すると、バスケットホルダ１４内でバスケット１５が本体側に傾動しているので、そのバスケット１５内の紙フィルター１６も同様に傾いており、図３に示すように紙フィルター１６の後端縁が下って浄水フィルター１３に引っ掛かることなく回動することができる。
【００２７】
そして図４に示されるように開閉弁２１が容器２３の蓋２４の凸部２５に当接し、さらにバスケットホルダ１４の回動を続けると、開閉弁２１が凸部２５に乗り上げて、バスケット１５はバスケットホルダ１４内で上動せしめられ、支持片１９を支点として図中時計方向に回動して水平となると共に、さらに開閉弁２１がバスケット１５に対して上動することにより排出口２０が開く。
【００２８】
また熱板６に容器２３を載置しない状態でバスケットホルダ１４を回動させて本体２に対して閉じたときには、バスケット１５の後部の周縁が当接リブ２６に当接し、バスケット１５の上部が前方に押されることにより、支持片１９を支点として時計方向に回動する。
【００２９】
いずれの場合においても、バスケットホルダ１４を本体２に対して閉じた状態においては、バスケット１５はバスケットホルダ１４に対して、支持片１９の支持リブ１８による支持部を支点として、バスケット１５の後部が上動するように回動し、図１に示すようにほゞ水平となり、紙フィルター１６の上端縁は浄水フィルター１３の下面より高い位置となっている。
【００３０】
而して水タンク９に水を入れると、その水は給水管１０を経て加熱パイプ８に流入してその加熱パイプ８を満たし、この状態でヒーター７に通電すると加熱パイプ８内の水が加熱され、その熱湯は揚水管１１内を上昇し、開口部１２から吐出され、浄水フィルター１３で浄化されて紙フィルター１６内のコーヒー粉１７に注がれる。
【００３１】
開閉弁２１は容器２３の蓋２４の凸部２５に当接して上動しており、コーヒー粉１７から抽出されたコーヒー液は排出口２０から流出し、蓋２４の凸部２５の周囲にに穿設された透孔２７から容器２３内に流入して蓄えられ、ヒーター７の熱で熱板６を介して保温される。
【００３２】
コーヒー液の抽出が終了した後容器２３を熱板６上から取出すと、前述のように凸部２５に当接して上動せしめられていた開閉弁２１は、ばね２２の弾力で下動し、排出口２０を閉塞してバスケット１５に残ったコーヒー液が流出するのを阻止する。
【００３３】
【発明の効果】
本発明においては、バスケットホルダ１４が開いた状態ではバスケット１５が本体側に傾動してその後部が下るため、紙フィルター１６の上縁が浄水フィルター１３に引っ掛かることなくバスケットホルダ１４を閉じることができ、紙フィルター１６の上縁が捲れるのを防止することができる。
【００３４】
従って前述のように紙フィルター１６が捲れたままで熱湯が注がれ、その熱湯の一部が紙フィルター１６の外側を通って流下するようなことがなく、コーヒー粉１７が適切に抽出されなかったり、得られたコーヒー液が薄くなったりすることがない。
【００３５】
またバスケットホルダ１４を本体２に対して閉じた状態においては、開いた状態で後方に傾動していたバスケット１５が水平状態にまで上動しているので、紙フィルター１６の上縁が浄水フィルター１３の下面より高い位置を採ることができる。従ってコーヒーメーカー１全体の高さを本発明を適用しないものと同等又はそれよりも低いものとすることが可能となり、コンパクトなコーヒーメーカー１となる。
【００３６】
バスケット１５を上動させる手段としては、前述のように開閉弁２１を容器２３の蓋２４の凸部２５に当接させて押上げるようにすると共に、バスケット１５の後部周縁が当接リブ２６に当接して回動するようにするのが好ましいが、これらの手段の一方のみを設けることも可能である。
【００３７】
容器２３の蓋２４に設けられた凸部２５に開閉弁２１が当接して排出口２０が開く構造は従来から広く採用されており、これにバスケット１５を押上げる手段を兼ねることは構造的に簡単である。
【００３８】
またバスケット１５の後部周縁が当接リブ２６などの本体２の一部に当接して回動するようにすることにより、バスケットホルダ１４を閉じた状態でバスケット１５が上動した状態に固定され、容器２３の着脱によってバスケット１５が下動することがなく、容器２３をスムーズに着脱できる。
【図面の簡単な説明】
【図１】  本発明のコーヒーメーカーの中央縦断面図
【図２】  図１におけるII−II断面図
【図３】  バスケットホルダが開いた状態の主要部の中央縦断面図
【図４】  バスケットホルダを閉じる過程を示す主要部の中央縦断面図
【符号の説明】
１  コーヒーメーカー
２  本体
１４  バスケットホルダ
１５  バスケット
１６  紙フィルター
１７  コーヒー粉
２１  開閉弁
２３  容器
２４  蓋
２５  凸部
【図１】
0003703739.tif 000002
【図２】
0003703739.tif 000003
【図３】
0003703739.tif 000004
【図４】
0003703739.tif 000005